(57)【要約】【課題】利用者の所望の分野の音楽データを再生装置に対して提供する。【解決手段】提供システムは、記憶部１ｃの各第１音楽分野情報と各第１音楽データ名との対応関係を示す情報を参照して、所定の第２音楽分野情報と上記第２音楽分野情報と対応づけて所定の第２音楽データ名とを、入力させるための入力部３ｂと、第２音楽分野情報と一致する第１音楽分野情報を検索し、検索された第１音楽分野情報に対応づけられた複数の第１音楽データ名のうち、第２音楽データ名に一致する第１音楽データ名を検索する検索部１ｄと、上記第１音楽データ名に対応する音楽データを、再生装置３に対して提供する提供部１ｂとを有する。【選択図】　　　図１
2004070252.tif 000002
【特許請求の範囲】
【請求項１】
音楽データ等のコンテンツを複数記憶するサーバ装置が、コンテンツを再生する再生装置に対して、前記コンテンツを提供する提供システムであって、
音楽の分野等の分野に関する情報である第１分野情報には、コンテンツを特定するための第１特定情報が複数対応づけられており、各第１特定情報には、前記各第１特定情報に各々対応するコンテンツが対応づけられており、前記第１分野情報を予め複数記憶する記憶手段と、
前記再生装置の利用者に対して、前記記憶手段内における各第１分野情報と各第１特定情報との対応関係を示す情報を参照して、所定の音楽の分野等の分野に関する情報である第２分野情報と、当該第２分野情報と対応づけた所定のコンテンツを特定するための第２特定情報とを、前記所定のコンテンツの取得要求とともに入力させるための入力手段と、
前記第２分野情報と、前記記憶手段に記憶された各第１分野情報とを照合し、前記第２分野情報と一致する第１分野情報を検索し、検索された第１分野情報に対応づけられた各第１特定情報と、前記第２特定情報とを照合し、前記第２特定情報と一致する第１特定情報を検索する検索手段と、
前記所定のコンテンツの取得要求に基づいて、前記検索手段により検索された第１特定情報に対応するコンテンツを、前記再生装置に対して提供する提供手段とを有することを特徴とする提供システム。
【請求項２】
音楽データ等のコンテンツを複数記憶するサーバ装置が、提供装置からコンテンツを取得するとともに、コンテンツを再生する再生装置に対して前記コンテンツを提供する提供システムであって、
音楽の分野等の分野に関する情報である第１分野情報には、コンテンツを特定するための第１特定情報が複数対応づけられており、各第１特定情報には、前記第各１特定情報に各々対応するコンテンツと、前記コンテンツの作成時期等のコンテンツの属性情報とが対応づけられており、前記第１分野情報を予め複数記憶する記憶手段と、
前記提供装置から、コンテンツと、所定の音楽分野等の分野に関する情報である所定の分野情報と、前記コンテンツを特定するための所定の特定情報と、所定の属性情報とを取得した場合、前記所定の分野情報と一致する前記第１分野情報に、前記所定の特定情報を対応づけ、前記所定の特定情報に、前記コンテンツ及び前記所定の属性情報を対応づける対応付け手段と、
前記再生装置の利用者に対して、前記記憶手段に記憶されている各第１分野情報のリストを示すリスト情報を参照して、所定の音楽の分野等の分野に関する情報を示す第２分野情報を入力させる第１入力手段と、
入力された第２分野情報と、前記記憶手段に記憶された各第１分野情報とを照合し、前記各第１分野情報のうち、前記第２分野情報と一致する第１分野情報を、検索第１分野情報として、検索する第１検索手段と、
前記利用者に対して、前記検索第１分野情報に対応づけられている複数の第１特定情報及び当該複数の第１特定情報に各々対応づけられている属性情報を参照して、所定のコンテンツを特定するための第２特定情報を、前記コンテンツの取得要求とともに、入力させる第２入力手段と、
検索第１分野情報に対応づけられた各第１特定情報と、前記第２特定情報とを照合し、第２特定情報と一致する第１特定情報を検索する第２検索手段と、
前記コンテンツの取得要求に基づいて、検索された第１特定情報に対応するコンテンツを、前記再生装置に提供する提供手段とを有することを特徴とする提供システム。
【請求項３】
前記再生装置は、曜日、日付等の時期を示す時期情報と、各時刻情報が対応づけられているとともに、前記各時刻情報に対して、各々、音楽の分野等の分野に関する情報である第３分野情報が対応づけられたテーブルを記憶するテーブル記憶手段と、
現在の時期を、現在時期情報として、取得する時期取得手段と、
現在の時刻を、現在時刻情報として、取得する時刻取得手段と、
前記テーブルを参照して、前記現在時期情報が、前記テーブル中の時期情報であるときに、現在時刻情報が前記テーブル中の各時刻情報のうち、いずれかの時刻情報になった場合、前記時刻情報に対応づけられた第３分野情報を判断する判断手段とを有し、
前記第１検索手段は、判断された第３分野情報と、前記記憶手段に記憶された各第１分野情報とを照合し、前記第３分野情報と一致する第１分野情報を、検索第１分野情報として検索し、
前記第２入力手段は、再生装置の利用者に対して、前記検索第１分野情報に対応づけられた複数の第１特定情報及び当該複数の第１特定情報に各々対応づけられた属性情報を参照して、コンテンツを特定するための第２特定情報を複数、入力させるとともに、前記複数の第２特定情報に対して、各々、サーバ装置からコンテンツが提供される順序を示す順序情報を対応づけて、入力させ、
前記複数の第２特定情報のうち、各第２特定情報に対応づけられた順序情報に従って、いずれか１つの第２特定情報がコンテンツ取得要求とともに前記再生装置から送られた場合、前記第２検索手段は、前記検索第１分野情報に対応づけられた各第１特定情報と、前記第２特定情報を照合し、前記第２特定情報に一致する第１特定情報を検索し、
前記提供手段は、前記コンテンツ取得要求に基づいて、検索された第１特定情報に対応するコンテンツを、前記再生装置に提供することを特徴とする請求項２に記載の提供システム。
【請求項４】
前記第１入力手段は、前記利用者に対して、前記リスト情報を参照して、各時刻情報に対応させて、各々、第３分野情報を入力させるとともに、
時期情報を入力させ、
前記再生装置は、入力された各第３分野情報及び時期情報に基づいて、前記テーブルを生成する生成手段と、
生成された前記テーブルを前記テーブル記憶手段に書き込む書き込み手段とを有することを特徴とする請求項３に記載の提供システム。
【請求項５】
前記サーバ装置は、時期情報と、各時刻情報が対応づけられているとともに、前記各時刻情報に対して、各々、第３分野情報が対応づけられたテーブルを、前記テーブルを特定する情報である第１テーブル特定情報と関連づけて複数記憶する第２記憶手段と、
各第１テーブル特定情報のうち、前記利用者が取得要求をしたテーブル特定情報である第２テーブル特定情報と一致する第１テーブル特定情報を検索し、検索された第１テーブル特定情報に対応するテーブルを第２記憶手段から取得するテーブル取得手段とを有し、
前記再生装置は、取得された前記テーブルを前記テーブル記憶手段に書き込む書き込み手段を有することを特徴とする請求項３に記載の提供システム。
【発明の詳細な説明】
【０００１】
【発明の属する技術分野】
本発明は、音楽データ等のコンテンツを複数記憶するサーバ装置が、コンテンツを再生する再生装置に対して、コンテンツを提供する提供システムに関する。
【０００２】
【従来の技術】
音楽データを複数記憶するサーバ装置は、所定の音楽データの要求を取得すると、通信ネットワークを介して、上記所定の音楽データを再生装置（例えば、ショッピングセンターや宿泊施設等に設置された再生装置）に提供する。そして、上記再生装置は、提供された音楽データを、再生していた。
【０００３】
【発明が解決しようとする課題】
しかしながら、上述した従来技術には、以下のような問題があった。上記サーバ装置は、複数の音楽データについて、各音楽分野（ポップス音楽等のジャンル）と対応づけて記憶していなかった。このため、サーバ装置は、記憶している全ての音楽データに関する情報（例えば、リスト情報）を、再生装置に対して提供することはできるものの、上記リスト情報においては、各音楽データは、音楽分野と対応づけられていなかった。
【０００４】
この結果、従来では、再生装置の利用者は、所望の音楽分野の音楽データをサーバ装置から取得したい場合でも、所望の音楽分野の音楽データだけをサーバ装置から取得することができず、例えば、サーバ装置から全ての音楽データを取得するという手法が行われていた。この手法によれば、再生装置に全ての音楽分野の音楽データをダウンロードした場合、再生装置における音楽分野別の音楽データの管理が大変であるとともに、大容量の記憶部が必要となってしまうという問題があった。
【０００５】
本発明は、以上のような問題に鑑みてなされたものであり、利用者が所望する分野の音楽データ等のコンテンツを、利用者の再生装置に対して、提供することができる提供システムを提供することを目的とする。
【０００６】
【課題を解決するための手段】
以上のような課題を解決するために、本発明は、音楽データ等のコンテンツを複数記憶するサーバ装置が、コンテンツを再生する再生装置に対して、前記コンテンツを提供する提供システムであって、音楽の分野等の分野に関する情報である第１分野情報には、コンテンツを特定するための第１特定情報が複数対応づけられており、各第１特定情報には、前記各第１特定情報に各々対応するコンテンツが対応づけられており、前記第１分野情報を予め複数記憶する記憶手段と、前記再生装置の利用者に対して、前記記憶手段内における各第１分野情報と各第１特定情報との対応関係を示す情報を参照して、所定の音楽の分野等の分野に関する情報である第２分野情報と、当該第２分野情報と対応づけた所定のコンテンツを特定するための第２特定情報とを、前記所定のコンテンツの取得要求とともに入力させるための入力手段と、前記第２分野情報と、前記記憶手段に記憶された各第１分野情報とを照合し、前記第２分野情報と一致する第１分野情報を検索し、検索された第１分野情報に対応づけられた各第１特定情報と、前記第２特定情報とを照合し、前記第２特定情報と一致する第１特定情報を検索する検索手段と、前記所定のコンテンツの取得要求に基づいて、前記検索手段により検索された第１特定情報に対応するコンテンツを、前記再生装置に対して提供する提供手段とを有することを特徴とするものである。
【０００７】
また、本発明は、音楽データ等のコンテンツを複数記憶するサーバ装置が、提供装置からコンテンツを取得するとともに、コンテンツを再生する再生装置に対して前記コンテンツを提供する提供システムであって、音楽の分野等の分野に関する情報である第１分野情報には、コンテンツを特定するための第１特定情報が複数対応づけられており、各第１特定情報には、前記第各１特定情報に各々対応するコンテンツと、前記コンテンツの作成時期等のコンテンツの属性情報とが対応づけられており、前記第１分野情報を予め複数記憶する記憶手段と、前記提供装置から、コンテンツと、所定の音楽分野等の分野に関する情報である所定の分野情報と、前記コンテンツを特定するための所定の特定情報と、所定の属性情報とを取得した場合、前記所定の分野情報と一致する前記第１分野情報に、前記所定の特定情報を対応づけ、前記所定の特定情報に、前記コンテンツ及び前記所定の属性情報を対応づける対応付け手段と、前記再生装置の利用者に対して、前記記憶手段に記憶されている各第１分野情報のリストを示すリスト情報を参照して、所定の音楽の分野等の分野に関する情報を示す第２分野情報を入力させる第１入力手段と、入力された第２分野情報と、前記記憶手段に記憶された各第１分野情報とを照合し、前記各第１分野情報のうち、前記第２分野情報と一致する第１分野情報を、検索第１分野情報として、検索する第１検索手段と、前記利用者に対して、前記検索第１分野情報に対応づけられている複数の第１特定情報及び当該複数の第１特定情報に各々対応づけられている属性情報を参照して、所定のコンテンツを特定するための第２特定情報を、前記コンテンツの取得要求とともに、入力させる第２入力手段と、検索第１分野情報に対応づけられた各第１特定情報と、前記第２特定情報とを照合し、第２特定情報と一致する第１特定情報を検索する第２検索手段と、前記コンテンツの取得要求に基づいて、検索された第１特定情報に対応するコンテンツを、前記再生装置に提供する提供手段とを有することを特徴とするものである。
【０００８】
また、本発明は、上記発明において、前記再生装置は、曜日、日付等の時期を示す時期情報と、各時刻情報が対応づけられているとともに、前記各時刻情報に対して、各々、音楽の分野等の分野に関する情報である第３分野情報が対応づけられたテーブルを記憶するテーブル記憶手段と、現在の時期を、現在時期情報として、取得する時期取得手段と、現在の時刻を、現在時刻情報として、取得する時刻取得手段と、前記テーブルを参照して、前記現在時期情報が、前記テーブル中の時期情報であるときに、現在時刻情報が前記テーブル中の各時刻情報のうち、いずれかの時刻情報になった場合、前記時刻情報に対応づけられた第３分野情報を判断する判断手段とを有し、前記第１検索手段は、判断された第３分野情報と、前記記憶手段に記憶された各第１分野情報とを照合し、前記第３分野情報と一致する第１分野情報を、検索第１分野情報として検索し、前記第２入力手段は、再生装置の利用者に対して、前記検索第１分野情報に対応づけられた複数の第１特定情報及び当該複数の第１特定情報に各々対応づけられた属性情報を参照して、コンテンツを特定するための第２特定情報を複数、入力させるとともに、前記複数の第２特定情報に対して、各々、サーバ装置からコンテンツが提供される順序を示す順序情報を対応づけて、入力させ、前記複数の第２特定情報のうち、各第２特定情報に対応づけられた順序情報に従って、いずれか１つの第２特定情報がコンテンツ取得要求とともに前記再生装置から送られた場合、前記第２検索手段は、前記検索第１分野情報に対応づけられた各第１特定情報と、前記第２特定情報を照合し、前記第２特定情報に一致する第１特定情報を検索し、前記提供手段は、前記コンテンツ取得要求に基づいて、検索された第１特定情報に対応するコンテンツを、前記再生装置に提供することを特徴とするものである。
【０００９】
また、上記発明において、前記第１入力手段は、前記利用者に対して、前記リスト情報を参照して、各時刻情報に対応させて、各々、第３分野情報を入力させるとともに、時期情報を入力させ、前記再生装置は、入力された各第３分野情報及び時期情報に基づいて、前記テーブルを生成する生成手段と、生成された前記テーブルを前記テーブル記憶手段に書き込む書き込み手段とを有するように構成することも可能である。
【００１０】
また、上記発明において、前記サーバ装置は、時期情報と、各時刻情報が対応づけられているとともに、前記各時刻情報に対して、各々、第３分野情報が対応づけられたテーブルを、前記テーブルを特定する情報である第１テーブル特定情報と関連づけて複数記憶する第２記憶手段と、各第１テーブル特定情報のうち、前記利用者が取得要求をしたテーブル特定情報である第２テーブル特定情報と一致する第１テーブル特定情報を検索し、検索された第１テーブル特定情報に対応するテーブルを第２記憶手段から取得するテーブル取得手段とを有し、前記再生装置は、取得された前記テーブルを前記テーブル記憶手段に書き込む書き込み手段を有するように構成することも可能である。
【００１１】
【発明の実施の形態】
実施の形態１．
図１は、本実施の形態の提供システムの構成を示す図である。提供システムは、サーバ装置１と、サーバ装置１と通信ネットワーク２（例えば、インターネット）を介して接続された複数の再生装置３とを有する。
【００１２】
サーバ装置１は、各再生装置３と各種のデータ通信を行う通信部１ｂと、記憶部１ｃと、各部を制御する制御部１ｄとを有する。記憶部１ｃでは、音楽分野（ポップス音楽など音楽ジャンル）を特定する情報（以下、第１音楽分野情報という）には、音楽データを特定する情報である第１音楽データ名が複数対応づけられており、各第１音楽データ名には、対応する音楽データが対応づけられている。そして記憶部１ｃは、上記第１音楽分野情報を予め複数記憶する。
【００１３】
制御部１ｄは、記憶部１ｃに適時アクセスし、現在記憶されている各第１音楽分野情報と各第１音楽データ名との対応関係を示す対応情報を生成し保持する。そして、制御部１ｄは、再生装置３から対応情報の要求を取得した場合、保持している対応情報を通信部１ｂ等を介して再生装置３に送信する。
【００１４】
また、制御部１ｄは、再生装置３の入力部により入力された所定の音楽分野情報、この所定の音楽分野情報に対応づけて入力された所定の音楽データ名とともに、上記所定の音楽データの取得要求を取得した場合、記憶部１ｃにアクセスして、以下のような検索動作を行う。即ち、制御部（検索部）１ｄは、上記所定の音楽分野情報（以下、第２音楽分野情報）と、記憶部１ｃに記憶された各第１音楽分野情報とを照合し、上記第２音楽分野情報と一致する第１音楽分野情報を検索する。そして、制御部１ｄは、検索された第１音楽分野情報に対応づけられた複数の音楽データ名（以下、第１音楽データ名という）のうち、上記所定の音楽データ名（以下、第２音楽データ名）と一致する第１音楽データ名を検索する。
【００１５】
そして、制御部１ｄは、検索された第１音楽データ名に対応する音楽データを記憶部１ｃから読み出し、通信部１ｂに送る。通信部（提供部）１ｂは、音楽データの取得要求に基づいて、上記音楽データを通信ネットワーク２を介して、再生装置３に送信（提供）する。
【００１６】
各再生装置３は、例えば、ショッピングセンター、宿泊施設等に設置されている。各再生装置３は、入力部３ｂ、表示部３ｃ、サーバ装置１と各種データの通信を行う通信部３ｄ、音楽データ等各種のデータを記憶する記憶部３ｆ、音楽データを再生する再生部３ｇ、各部を制御する制御部３ｈを有する。表示部３ｃには、例えば、サーバ装置１から送られた対応情報が表示される。
【００１７】
入力部３ｂには、表示部３ｃに表示された対応情報を参照した再生装置３の利用者により、所定の音楽分野情報（第２音楽分野情報）と、この音楽分野情報に対応づけた所定の音楽データ名（第２音楽データ名）とが、音楽データ取得要求とともに、入力される。なお、本実施の形態においては、音楽データはファイル形式で再生装置３／サーバ装置１間で転送するようにしてもよい。
【００１８】
（提供システムの動作）
上述の構成を有する提供システムの動作を以下に説明する。先ず、ある再生装置３の利用者が、入力部３ｂを用いて、対応情報の取得要求を入力する。上記対応情報の取得要求は、制御部３ｈ、通信部３ｄ等を介して、サーバ装置１の制御部１ｄに送られる。
【００１９】
サーバ装置１の制御部１ｄは、保持している対応情報を、通信部１ｂ等を介して、対応情報を再生装置３に送信する。対応情報は、通信部３ｄ、制御部３ｈを介して、表示部３ｃにて表示される。利用者が、表示部３ｃに表示された対応情報を参照して、所定の第２音楽分野情報（例えば、ポップス音楽）と、上記第２音楽分野情報に対応づけた第２音楽データ名とを、音楽データ取得要求とともに、入力部３ｂに入力すると、音楽データ取得要求等は、制御部３ｈに送られる。制御部３ｈは、上記音楽データ取得要求等を、通信部３ｄ等を介して、サーバ装置１の制御部１ｄに送る。
【００２０】
サーバ装置１の制御部１ｄは、上記音楽データ取得要求等を取得すると、記憶部１ｃにアクセスする。そして、制御部１ｄは、上記第２音楽分野情報と一致する第１音楽分野情報を検索する。そして、制御部１ｄは、検索された第１音楽分野情報に対応づけられた複数の第１音楽データ名のうち、上記第２音楽データ名と一致する第１音楽データ名を検索する。
【００２１】
そして、制御部１ｄは、検索された第１音楽データ名に対応する音楽データを記憶部１ｃから読み出し、通信部１ｂに送る。通信部１ｂは、音楽データの取得要求に基づいて、上記音楽データを通信ネットワーク２等を介して、再生装置３の制御部３ｈに送信する。
【００２２】
再生装置３の制御部３ｈは、音楽データをいったん保持し、音楽データが提供された旨を表示部３ｃに表示させる。利用者が、記憶部３ｆに記憶させる旨を入力部３ｂに入力すると、その旨は制御部３ｈに送られる。制御部３ｈは、音楽データを記憶部３ｆに記憶させる。一方、利用者が、再生部３ｇに再生させる旨を入力部３ｂに入力すると、その旨は制御部３ｈに送られる。制御部３ｈは、音楽データを再生部３ｇに再生させる。
【００２３】
（作用効果）
本実施の形態においては、記憶部１ｃには、複数の第１音楽データ名と対応づけられた第１音楽分野情報が複数記憶されている。そして、再生装置３の利用者に対して、記憶部１ｃ内の各第１音楽分野情報と各第１音楽データ名との対応関係を示す対応情報が提供される。このため、利用者は、上記対応情報を参照して、所望の第２音楽分野情報と、これに対応する第２音楽データ名を入力部３ｂに入力できる。
【００２４】
この結果、制御部（検索部）１ｄは、第２音楽分野情報と一致する第１音楽分野情報を検索でき、検索した第１音楽分野情報に対応する各第１音楽データ名のうち、第２音楽データ名と一致する第１音楽データ名を検索できる。そして、制御部１ｄは、検索した第１音楽データ名に対応する音楽データを記憶部１ｃから取得し、通信部１ｂを介して、再生装置３に送ることができる。
【００２５】
このため、利用者の所望の分野の音楽データを、利用者の再生装置３に対して提供することが可能となる。また、複数の音楽データについて、それぞれ異なる第１音楽分野情報に対応づける場合には、同一の第１音楽データ名を用いることができる。また、利用者から見た場合、記憶部１ｃに記憶されている各第１音楽分野情報を各チャネルとして利用することが可能となる。
実施の形態２．
（構成）
図２は、実施の形態２の提供システムの構成を示す図である。本実施の形態において、実施の形態１に示した構成と同一構成についてはその説明を省略する。
【００２６】
本実施の形態の提供システムは、さらに、音楽データ提供装置４を有する。音楽データ提供装置４は、サーバ装置１に対して、適時、最新の音楽データ等を提供する。
【００２７】
（１）サーバ装置
サーバ装置１においては、各部の機能が以下のように、実施の形態１とは異なる。記憶部１ｃにおいては、各第１音楽データ名には、音楽データだけでなく、音楽データの作成時期を示す作成時期情報が対応づけられている。
【００２８】
制御部１ｄは、音楽データ提供装置４から、最新の音楽データと、上記音楽データに対応する音楽分野情報（例えば、ポップス音楽）、音楽データ名（例えば、ｍｕｓｉｃ１２）、作成時期情報（例えば、２００２／７／２を示す情報など）を取得した場合、記憶部１ｃにアクセスする。そして、制御部１ｄ（対応付け部）は、記憶部１ｃ内の各第１音楽分野情報と上記音楽分野情報とを照合し、上記音楽分野情報と一致する第１音楽分野情報を検索する。そして、制御部１ｄは、検索した第１音楽分野情報（ポップス音楽）に対して、上記音楽データ名（上述の例では、ｍｕｓｉｃ１２）を対応づけ、上記音楽データ名（ｍｕｓｉｃ１２）に対して取得した音楽データ及び作成時期情報（上述の例では２００２／７／２を示す情報）を対応づける。
【００２９】
このような制御部１ｄの動作により、記憶部１ｃの内容には、常時、最新の音楽データが記憶されることになる。なお、制御部１ｄは、記憶部１ｃ内に記憶された作成時期情報を参照して、作成時期の古い音楽データを適時消去するようにしてもよい。
【００３０】
また、制御部１ｄは、記憶部１ｃに適時アクセスし、記憶部１ｃ内において現在記憶されている各第１音楽分野情報のリスト（ロック音楽．．）を示す音楽分野リスト情報を生成し保持する。そして、制御部１ｄは、再生装置３から音楽分野リスト情報の要求を取得した場合、保持している音楽分野リスト情報を通信部１ｂ等を介して再生装置３に送信する。
【００３１】
また、制御部１ｄは、再生装置３から、所定の音楽分野情報（後述するテーブルに記録された第３音楽分野情報）に対応する複数の音楽データ名、作成時期情報のリストを示す音楽データリスト情報の要求を取得した場合、記憶部１ｃにアクセスする。そして、制御部１ｄ（第１検索部）は、上記所定の音楽分野情報（第３音楽分野情報）と、各第１音楽分野情報とを照合し、上記所定の音楽分野情報（第３音楽分野情報）と一致する第１音楽分野情報を検索第１音楽分野情報として検索する。
【００３２】
そして、制御部１ｄは、検索第１音楽分野情報に対応づけられた複数の第１音楽データ名、作成時期情報をリストにまとめた音楽データリスト情報を生成する。制御部１ｄは、音楽データリスト情報を通信部１ｂ等を介して再生装置３に送る。なお、制御部１ｄは、上記検索第１音楽分野情報を上記再生装置３を特定する情報と対応づけて保持する。
【００３３】
また、上記音楽データリスト情報を参照して、再生装置３の利用者により入力された所定の音楽データ名（第２音楽データ名）が、音楽データ取得要求及び再生装置３を特定する情報とともに再生装置３から、サーバ装置１の制御部１ｄに送られる。すると、制御部１ｄは、再生装置３を特定する情報に対応する検索第１音楽分野情報を取得する。制御部１ｄ（第２検索部）は、記憶部１ｃにアクセスし、上記検索第１音楽分野情報に対応づけられた各第１音楽データ名と、上記所定の音楽データ名（第２音楽データ名）とを照合し、上記所定の音楽データ名に一致する第１音楽データ名を検索する。そして、制御部１ｄは、検索された第１音楽データ名に対応づけられた音楽データを記憶部１ｃから取得し、通信部１ｂに送る。通信部１ｂ（提供部）は、音楽データ取得要求に基づいて、上記音楽データを再生装置３に送信（提供）する。
【００３４】
（２）再生装置
本実施の形態の各再生装置３は、実施の形態１の各再生装置３とは以下の点で相違する。即ち、本実施の形態は、入力部３ｂ、制御部３ｈの機能が異なる点、現在の時刻や現在の時期を計測する計測部３ｊ、生成部３ｋ、テーブル記憶部３ｍが設けられている点において、実施の形態１と異なる。
【００３５】
入力部３ｂ（第１入力部）には、再生装置３の利用者が表示部３ｃに表示された音楽分野リスト情報を参照して、各時刻情報に対応させて、各々、音楽分野を特定するための第３音楽分野情報が上記利用者により入力される。例えば、入力部３ｂには、時刻情報（ＡＭ１０；００）に対して、第３音楽分野情報（演歌音楽）、時刻情報（ＡＭ１２；００）に対して、第３音楽分野情報（ロック音楽）、時刻情報（ＰＭ２；００）に対して、第３音楽分野情報（ポップス音楽）が入力される。
【００３６】
また、入力部３ｂ（第１入力部）には、再生装置３の利用者により、曜日、日付等の時期を示す時期情報が入力される。
【００３７】
生成部３ｋは、入力部３ｂにより入力された各時刻情報、各第３音楽分野情報、時期情報に基づいて、時期情報と、各時刻情報が対応づけられているとともに、上記各時刻情報に対して、各々、第３音楽分野情報が対応づけられたテーブルを生成する（テーブルの一例として、図３参照）。
【００３８】
制御部３ｈ（書き込み部）は、生成部３ｋにより生成されたテーブルをテーブル記憶部３ｍに書き込む。これにより、テーブル記憶部３ｍには、上記テーブルが記憶されることになる。なお、制御部３ｈは、計測部３ｊから、現在の時期（曜日、日付等）を現在時期情報として取得する時期情報取得手段であるとともに、現在の時刻を現在時刻情報として取得する時刻情報取得手段でもある。
【００３９】
そして、入力部３ｂから、テーブルに従った音楽データの取得要求の旨が入力されると、その旨は制御部３ｈに送られる。制御部３ｈは、上記旨に基づいて、テーブル記憶部３ｍからテーブルを読み出す。そして、制御部（判断部）３ｈは、テーブルを参照して、現在時期情報がテーブル中の時期情報であるか否かを判断する。
【００４０】
そして、制御部３ｈは、現在時期情報がテーブル中の時期情報であるとき、現在時刻情報が、テーブルに記録された各時刻情報のうち、いずれかの時刻情報になった場合、上記時刻情報に対応づけられた第３音楽分野情報を判断する。例えば、制御部３ｈは、取得した現在時刻情報がＡＭ１０；００を示す情報である場合、この現在時刻情報は、テーブルに記録された時刻情報１（ＡＭ１０；００）に該当すると判断する。そして、制御部３ｈは、テーブルを参照して、時刻情報１（ＡＭ１０；００）に対応づけられた第３音楽分野情報（演歌音楽）を判断する。
【００４１】
制御部３ｈは、音楽データリスト情報（上記判断した第３音楽分野情報に対応する複数の音楽データ名、作成時期情報のリストを示す情報）の取得要求を、再生装置３を特定する情報とともに、通信部３ｄ等を介して、サーバ装置１に送信する。
【００４２】
制御部３ｈは、通信部３ｄを介して、サーバ装置１から上記音楽データリスト情報を取得すると、いずれか複数の音楽データ名を入力するように指示する旨と、音楽データリスト情報とを表示部３ｃに表示させる。入力部（第２入力部）３ｂには、利用者が音楽データリスト情報を参照して、音楽データを特定するための第２音楽データ名が複数、利用者により入力される。この際、入力部３ｂには、利用者により、上記複数の第２音楽データ名に各々対応づけて、サーバ装置１から音楽データが提供される順序を示す順序情報が入力される。
【００４３】
具体的に、以下に説明する。音楽データリスト情報にて、例えば、検索第１音楽分野情報（上記第３音楽分野情報と一致する音楽分野情報、例えば、演歌音楽）に、複数の第１音楽データ名（ｍｕｓｉｃ１，ｍｕｓｉｃ２．．．）及び各第１音楽データ名に対応する作成時期情報（ｍｕｓｉｃ１には作成時期情報１、ｍｕｓｉｃ２には作成時期情報２．．．）が対応づけられている場合を考える。利用者は、表示部３ｃに表示された音楽データリスト情報を参照し、例えば、作成時期が最近のものを複数取得したいと考える場合には、最近の作成時期を示す作成時期情報と対応づけられた複数の音楽データ名（第２音楽データ名）を入力部３ｂに入力する。
【００４４】
この際、利用者は、上記複数の第２音楽データ名（例えば、ｍｕｓｉｃ４、ｍｕｓｉ６．．．）の各々に対して、例えば、第２音楽データ名（ｍｕｓｉｃ４）に対応づけて順番情報（１番目），第２音楽データ名（ｍｕｓｉｃ６）に対応づけて順番情報（２番目）．．を入力部３ｂに入力する。なお、利用者は、各第２音楽データ名に対応する作成時期情報（各第２音楽データ名と一致する第１音楽データ名に対応づけられた作成時期情報）に基づいて、最新の音楽データほど、順番が早いように、順番情報を入力することもできる。また、利用者は、第２音楽データ名のアスキーコードに基づいて、順番情報を入力することもできる。
【００４５】
なお、順番情報（１番目）に対応づけられた第２音楽データ名（ｍｕｓｉｃ４）の音楽データは、上記複数の第２音楽データ名（例えば、ｍｕｓｉｃ４、ｍｕｓｉｃ６．．．）が各々示す複数の音楽データのうち、１番目にサーバ装置１から提供されてくることになる。入力部３ｂに入力された複数の第２音楽データ名（例えば、ｍｕｓｉｃ４、ｍｕｓｉｃ６．．．）は、対応づけられた順番情報とともに制御部３ｈに送られ、保持される。
【００４６】
制御部３ｈは、保持している複数の第２音楽データ名（例えば、ｍｕｓｉｃ４、ｍｕｓｉｃ６など）のうち、各第２音楽データ名に対応づけられた順番情報に従って、いずれか１つの第２音楽データ名を音楽データ取得要求及び再生装置３を特定する情報とともに、通信部３ｄを介してサーバ装置１に送信していく。詳細な動作は後述する。
（動作）
（１）テーブル生成、記憶動作
先ず、再生装置３の利用者は入力部３ｂを用いて、各第１音楽分野情報のリストを示す音楽分野リスト情報の取得要求を入力すると、制御部３ｈ等を介してサーバ装置１の制御部１ｄに送られる。上記音楽分野リスト情報の取得要求をサーバ装置１の制御部１ｄが取得すると、保持している音楽分野リスト情報を通信部１ｂ等を介して、再生装置３の制御部３ｈに送信する。再生装置３の制御部３ｈは、音楽分野リスト情報を表示部３ｃに表示させる。
【００４７】
利用者は、表示部３ｃに表示された音楽分野リスト情報を参照して、各時刻情報に対応させて、各々第３音楽分野情報を入力するとともに、時期情報を入力する。入力された各第３音楽分野情報及び時期情報は、制御部３ｈを介して生成部３ｋに送られる。
【００４８】
生成部３ｋは、入力部３ｂにより入力された各第３音楽分野情報、時期情報等に基づいて、時期情報と、各時刻情報が対応づけられているとともに、上記各時刻情報と各第３音楽分野情報とが各々対応づけられたテーブルを生成する（図３）。生成されたテーブルが制御部３ｈに送られると、制御部３ｈは、テーブル記憶部３ｍにテーブルを書き込む。
【００４９】
（２）音楽データの提供動作
上述した提供システムにおける音楽データを提供する動作について、図４に示すフローチャート図、図５に示すシーケンス図を用いて説明する。
【００５０】
先ず、再生装置３の利用者は、入力部３ｂを用いて、テーブルに従った音楽データの取得要求の旨を入力する（Ｓ５）と、その旨は制御部３ｈに送られる。制御部３ｈは、テーブル記憶部３ｍからテーブルを読み出す。
【００５１】
そして、制御部３ｈは、計測部３ｊにより計測された現在時期を現在時期情報として取得する（Ｓ１０）。そして、制御部３ｈは、テーブルを参照して、現在時期情報が、テーブルに記録された時期情報と一致するか否かを判断する（Ｓ１１）。一致しない場合には、ステップＳ１０へ移行する。一致する場合には、ステップＳ１２へ移行する。
【００５２】
制御部３ｈは、計測部３ｊにより計測された現在時刻を現在時刻情報として取得する（Ｓ１２）。そして、制御部３ｈは、テーブルを参照して、現在時刻情報が、テーブルに記録された最も遅い時刻情報を過ぎているか否かを判断する（Ｓ１３）。
【００５３】
過ぎていると判断した場合には、制御部３ｈは、テーブルに従った音楽データ取得を続行する旨を入力するように指示する旨を表示部３ｃに表示させる。そして、制御部３ｈは、入力部３ｂにテーブルに従った音楽データ取得を続行する旨が入力されたか否かを判断する（Ｓ１４）。入力されたと判断した場合には、ステップＳ１０へ移行する。入力されないと判断した場合には、本処理は終了する。
【００５４】
一方、過ぎていないと判断した場合には、制御部３ｈは、テーブルを参照して、現在時刻情報がテーブル中の各時刻情報のうち、いずれかの時刻情報になったか否かを判断する（Ｓ１５）。いずれかの時刻情報になっていない場合には、Ｓ１２へ移行する。いずれかの時刻情報になった場合には、制御部３ｈは、テーブルを参照して、上記時刻情報に対応づけられた第３音楽分野情報を判断する（Ｓ１６）。
【００５５】
制御部３ｈは、判断した第３音楽分野情報に対応する音楽データ名、作成時期情報のリストを示す音楽データリスト情報の取得要求を、第３音楽分野情報及び再生装置３を特定する情報とともに通信部３ｄ等を介して、サーバ装置１の制御部１ｄに送る（Ｓ１７）。
【００５６】
サーバ装置１の制御部１ｄは、上記音楽データリスト情報の取得要求等を取得した場合、記憶部１ｃにアクセスする。そして、制御部１ｄは、上記第３音楽分野情報と、記憶部１ｃに記憶されている各第１音楽分野情報とを照合し、上記第３音楽分野情報と一致する第１音楽分野情報を検索第１音楽分野情報として検索する（Ｓ１８）。そして、制御部１ｄは、検索第１音楽分野情報を、再生装置３を特定する情報と対応づけていったん保持する。そして、制御部１ｄは、検索第１音楽分野情報に対応づけられた複数の第１音楽データ名、作成時期情報をまとめた音楽データリスト情報を生成し、通信部１ｂ等を介して、再生装置３の制御部３ｈに送る（Ｓ２０）。
【００５７】
再生装置３の制御部３ｈは、音楽データリスト情報を取得すると、いずれか複数の音楽データ名を選択入力するように指示する旨とともに、音楽データリスト情報を表示部３ｃに表示させる。再生装置３の利用者は、表示された音楽データリスト情報（例えば、各音楽データの作成時期情報）を参照して、複数の第２音楽データ名を、入力部３ｂに入力する。この際、利用者は、上記複数の第２音楽データ名に各々対応づけて、順序情報を入力部３ｂに入力する（Ｓ２２）。入力部３ｂにより入力された上記複数の第２音楽データ名、これらに各々対応する順序情報は、制御部３ｈに送られ、いったん保持される。
【００５８】
制御部３ｈは、保持している複数の第２音楽データ名のうち、各第２音楽データ名に対応づけられた順番情報に従って、いずれか１つの第２音楽データ名を音楽データ取得要求及び再生装置３を特定する情報とともに、通信部３ｄ等を介してサーバ装置１の制御部１ｄに送信する（Ｓ２４）。
【００５９】
この制御部３ｈの動作において、初めは、１番目の順番情報と対応づけられた第２音楽データ名を音楽データ取得要求及び再生装置３を特定する情報とともに、通信部３ｄを介してサーバ装置１の制御部１ｄに送信する。制御部が１番目の順番情報と対応づけられた第２音楽データ名の音楽データを取得したら、次に、２番目の順番情報と対応づけられた第２音楽データ名を音楽データ取得要求及び再生装置３を特定する情報とともに、サーバ装置１の制御部１ｄに送信する。そして、上述の動作が繰り返される。
【００６０】
サーバ装置１の制御部１ｄは、上記再生装置３から送られた各種の情報のうち、先ず、再生装置３を特定する情報に基づいて、保持している検索第１音楽分野情報を取得する。そして、制御部１ｄは、記憶部１ｃにアクセスして、検索第１音楽分野情報に対応づけられている各第１音楽データ名と、送られてきた第２音楽データ名とを照合し、上記第２音楽データ名と一致する第１音楽データ名を検索する（Ｓ２６）。
【００６１】
そして、制御部１ｄは、検索した第１音楽データ名に対応づけられた音楽データを記憶部１ｃから読み出して、通信部１ｂ等を介して、再生装置３の制御部３ｈに送る（Ｓ２８）。再生装置３の制御部３ｈは、上記順番情報に対応づけられた音楽データ名の音楽データを取得したことを認識する。そして、再生装置３の制御部３ｈは、保持している複数の第２音楽データ名の音楽データの全てについて、サーバ装置１から取得したか否かを判断する（Ｓ３０）。取得していないと判断された場合には、ステップＳ２４へ移行する。取得したと判断された場合には、Ｓ１２へ移行する。
【００６２】
なお、上述した提供システムの動作において、再生装置３からサーバ装置１に対して、音楽データリスト情報の取得要求を行う前に、認証処理を行うことも可能である。即ち、再生装置３の制御部３ｈから先ず、再生装置３の認証情報とともに、ログイン要求をサーバ装置１に送信すると、サーバ装置１の制御部１ｄは、ログイン要求に基づいて、送られた認証情報と、保持している上記再生装置３の認証情報とを照合し、一致している場合には、ログインＯＫの情報を再生装置３に送るようにしてもよい。その後、再生装置３から音楽データリスト情報の取得要求をサーバ装置１に送信するようにしてもよい。
【００６３】
また、本実施の形態では、生成部３ｋを再生装置３に設けるようにしていたが、以下のように、通信ネットワーク２と接続されたＰＣ端末装置に設けるようにしてもよい。ＰＣ端末装置に、各時刻情報に対応づけられた第３音楽分野情報が入力されると、生成部３ｋに送られる。生成部３ｋがテーブルを生成すると、ＰＣ端末装置から、通信ネットワーク２を介して、上記テーブルを再生装置３の制御部３ｈへ送る。その後、再生装置３の制御部３ｈは、テーブルをテーブル記憶部３ｍに書き込む。これにより、遠隔地でテーブルを生成し、再生装置３にテーブルを送ることができる。また、再生装置における音楽データ再生の仕方には種々の方法があるが、例えば、再生装置３の制御部３ｈは、サーバ装置１から音楽データを取得した場合、自動的に、再生部３ｇに送り、音楽データを再生させるようにすることができる。
【００６４】
（作用効果）
本実施の形態では、音楽データ提供装置４から最新の音楽データがサーバ装置１に送られた場合、サーバ装置１の制御部（対応付け部）１ｄは、最新の音楽データを、記憶部１ｃに記憶している第１音楽分野情報と対応づけて記憶させる。
【００６５】
再生装置３の制御部（判断部）３ｈは、上記テーブルを参照して、現在時刻情報が各時刻情報になった場合、上記時刻情報に対応する第３音楽分野情報を判断する。そして、サーバ装置１から、第３音楽分野情報と一致する検索第１音楽分野情報に対応づけられた複数の第１音楽データ名及びこれに対応する作成時期情報を示す音楽データリスト情報が再生装置３に送られる。再生装置３の利用者は、上記音楽データリスト情報を参照して、所望の複数の第２音楽データ名及び順番情報を入力部３ｂにより入力する。
【００６６】
そして、再生装置３の制御部３ｈは、上記複数の第２音楽データ名のうち、順番情報に従って、いずれか１つの第２音楽データ名を、音楽データ取得要求とともに、通信部等３ｄを介して、サーバ装置１の制御部１ｄに送る。サーバ装置１の制御部１ｄは、上記第２音楽データ名と一致する第１音楽データ名を検索し、検索した第１音楽データ名に対応する音楽データを記憶部１ｃから読み出し、通信部等１ｂを介して、再生装置３に提供する。
【００６７】
従来では、音楽データ提供装置４から所定の音楽分野情報の最新の音楽データがサーバ装置１に提供されたような場合でも、各時刻情報と各音楽データ名とが対応づけられていたテーブルが再生装置３に記憶されてきたので、利用者が所定の時刻に、上記最新の音楽データの提供を受けたい場合でも、上記最新の音楽データの提供を受けることができず、上記最新の音楽データの提供を受けたい場合には、記憶されたテーブルを再度書き換えるしかなかった。
【００６８】
本実施の形態では、テーブルを書き換えずに、音楽データリスト情報が送られたときに、上記検索第１音楽分野情報に対応づけられている複数の第１音楽データ名（現在、記憶部１ｃに記憶されている）のうち、例えば、第１音楽データ名に対応づけられている作成時期情報などを参照して、最新の音楽データを特定するための第２音楽データ名を利用者が選択入力できる。そして、この第２音楽データ名と一致する第１音楽データ名に対応づけられた音楽データが、サーバ装置１から再生装置３に提供されるので、サーバ装置１の記憶部１ｃに最新の音楽データが記憶されたような場合でも、テーブルを再度書き換えずに、再生装置３は、サーバ装置１から、最新の音楽データの提供を受けられる。
【００６９】
また、音楽データリスト情報の作成時期情報等を参照して、利用者は、ある時刻になったときに、サーバ装置１から提供されてくる複数の音楽データの順序を、自分の好みに合うように設定することができる。
【００７０】
（変更例１）
上述した実施の形態２については、以下のように変更することが可能である。
【００７１】
変更例１の提供システムにおいて、実施の形態２の構成と同一構成についてはその説明を省略し、異なる点について説明する。本変更例においては、記憶部１ｃに記憶されるテーブルは、生成部３ｋが生成するのでなく、サーバ装置１の記憶部１ｃに記憶されたテーブルである。
【００７２】
サーバ装置１の記憶部１ｃ（第２記憶部）は、時期情報と、各時刻情報が対応づけられているとともに、上記各時刻情報に対して、各々、第３音楽分野情報が対応づけられているテーブルを、上記テーブルを特定する第１テーブル特定情報と関連づけて、複数記憶する。
【００７３】
そして、制御部１ｄは、記憶部１ｃに記憶されている第１テーブル特定情報及び第１テーブル特定情報が特定するテーブルの内容を示す情報のリストを示すテーブルリスト情報を保持している。そして、利用者が入力部３ｂを用いて、テーブルリスト情報の取得要求を入力すると、制御部３ｈ等を介してサーバ装置１の制御部１ｄに送られる。制御部１ｄは、上記要求に基づいて、記憶部１ｃに記憶されたテーブルリスト情報を取得し、通信部１ｂ等を介して、再生装置３の制御部３ｈへ送る。
【００７４】
制御部３ｈは、表示部３ｃにテーブルリスト情報を表示させる。利用者が、表示されたテーブルリスト情報を参照して、所定のテーブルを特定する情報である第２テーブル特定情報をテーブル取得要求とともに、入力部３ｂに入力する。上記第２テーブル特定情報等は、制御部等３ｈを介して、サーバ装置１の制御部１ｄに送られる。
【００７５】
サーバ装置１の制御部１ｄは、テーブル取得要求に基づいて、記憶部１ｃに記憶されている各第１テーブル特定情報と、上記第２テーブル特定情報とを照合し、第２テーブル特定情報と一致する第１テーブル特定情報を検索し、検索した第１テーブル特定情報に対応するテーブルを取得する。制御部１ｄは、取得したテーブルを通信部１ｂ等を介して、再生装置３の制御部３ｈへ送る。再生装置３の制御部３ｈは、上記テーブルを記憶部３ｍに書き込む。
【００７６】
本変更例によれば、実施の形態２の効果に加え、利用者が時期情報を入力したり、各時刻情報に対する各第３音楽情報を入力する手間が省けるという効果がある。
【００７７】
（変更例２）
また、上述した実施の形態２については、以下のように変更することも可能である。サーバ装置１の記憶部１ｃの機能、サーバ装置１の制御部１ｄの対応付け機能は、実施の形態２の場合と同じである。
【００７８】
先ず、再生装置３の利用者は入力部３ｂを用いて、各第１音楽分野情報のリストを示す音楽分野リスト情報の取得要求を入力すると、上述したように、音楽分野リスト情報がサーバ装置１から再生装置３に送られ、再生装置３の制御部３ｈは、音楽分野リスト情報を表示部３ｃに表示させる。
【００７９】
再生装置３の利用者は、上記音楽分野リスト情報を参照して、所定の音楽分野情報である第２音楽分野情報（例えば、ポップス音楽）を入力部３ｂ（第１入力部）を用いて入力する。入力された第２音楽分野情報及び再生装置３を特定する情報は、制御部３ｈ等を介して、サーバ装置１の制御部１ｄに送られる。
【００８０】
サーバ装置１の制御部１ｄは、記憶部１ｃにアクセスする。そして、制御部１ｄ（第１検索部）は、送られた第２音楽分野情報と、記憶部１ｃに記憶された各第１音楽分野情報とを照合し、上記第２音楽分野情報と一致する第１音楽分野情報を、検索第１音楽分野情報として検索する。
【００８１】
そして、制御部１ｄは、再生装置３を特定する情報と対応づけて、検索第１音楽分野情報を保持する。そして、制御部１ｄは、検索第１音楽分野情報に対応づけられた複数の第１音楽データ名、作成時期情報をリストにまとめた音楽データリスト情報を生成する。そして、制御部１ｄは、音楽データリスト情報を通信部１ｂ等を介して、再生装置３の制御部３ｈに送る。再生装置３の制御部３ｈは、上記音楽データリスト情報を表示部３ｃに表示させる。利用者は、表示された音楽データリスト情報を参照して、所定の音楽データを特定するための第２音楽データ名を、音楽データ取得要求とともに、入力部３ｂ（第２入力部）に入力する。入力された第２音楽データ名等は、制御部３ｈに送られる。制御部３ｈは、上記第２音楽データ名等とともに、再生装置３を特定する情報を通信部３ｄ等を介してサーバ装置１の制御部１ｄへ送る。
【００８２】
サーバ装置１の制御部１ｄは、送られてきた再生装置３を特定する情報に対応する検索第１音楽分野情報を取得する。そして、制御部１ｄ（第２検索部）は、記憶部１ｃにアクセスして、検索第１音楽分野情報に対応する各第１音楽データ名と、第２音楽データ名とを照合し、第２音楽データ名と一致する第１音楽データ名を検索する。
【００８３】
そして、制御部１ｄは、検索した第１音楽データ名に対応する音楽データを記憶部１ｃから取得し、通信部（提供部）１ｂ等を介して、音楽データを再生装置３に送信（提供）する。なお、本変更例の機能及び実施の形態２の機能を組み合わせるように、提供システムを構成することも可能である。
【００８４】
本変更例によれば、時刻と関係なく、利用者の所望の分野の音楽データを利用者の再生装置３に対して提供する場合、実施の形態１のように、記憶部１ｃ内の全ての第１音楽分野情報とこれらに対応する第１音楽データ名をサーバ装置１から再生装置３に送るのではなく、初めに記憶部１ｃ内の全ての第１音楽分野情報のリスト情報を送り、次に、利用者が所望する第２音楽分野情報と一致する第１音楽分野情報に対応づけられた全ての第１音楽データ名の情報（音楽データリスト情報）が送られる。
【００８５】
このため、無駄な情報（利用者が興味を示さない音楽分野情報に対応づけられた音楽データ名）を通信ネットワーク２に送らなくて済むので、通信ネットワーク２の輻輳防止に役立つ。また、サーバ装置１から再生装置３に対しては、各第１音楽データ名に対応づけられた作成時期情報も送られるので、作成時期に基づいて、利用者は、提供を受けたい音楽データの音楽データ名（第２音楽データ名）を選択入力することができる。
なお、各実施の形態、各変更例では、第１音楽データ名に対応する作成時期情報について説明したが、これに限定されない。即ち、記憶部１ｃにて、各第１音楽データ名に対して、音楽データのデータ量等の音楽データの属性情報が対応づけられているようにしてもよい。また、音楽ジャンル及びアーティストを含めた情報を音楽分野情報としてもよい（例えば、ポップス音楽−○歌手を音楽分野情報１、ポップス音楽−△歌手を音楽分野情報２、．．．）。また、各実施の形態、各変更例では、音楽データを用いて説明したが、これに限定されず、映像データ等のコンテンツについても同様に適用できる。
【００８６】
【発明の効果】
以上説明したように、本発明によれば、利用者の所望の分野の音楽データを利用者の再生装置に対して提供することが可能となる。
【図面の簡単な説明】
【図１】実施の形態１の提供システムの構成を示す図である。
【図２】実施の形態２の提供システムの構成を示す図である。
【図３】実施の形態２のテーブルの一例を示す図である。
【図４】実施の形態２の提供システムの動作の一部を説明するためのフローチャート図である。
【図５】実施の形態２の提供システムの動作の一部を説明するためのシーケンス図である。
【符号の説明】
１　サーバ装置
１ｂ、３ｄ　通信部
１ｃ、３ｆ　記憶部
１ｄ、３ｈ　制御部
３ｂ　入力部
３ｃ　表示部
３ｇ　再生部
３ｊ　計測部
３ｋ　生成部
３ｍ　テーブル記憶部
３　再生装置
４　音楽データ提供装置
【図１】
2004070252.tif 000003
【図２】
2004070252.tif 000004
【図３】
2004070252.tif 000005
【図４】
2004070252.tif 000006
【図５】
2004070252.tif 000007